(57)【要約】      （修正有）【課題】猫が用を足せるようトレーニング可能であり、猫砂の購入や清掃の必要がなく、且つ、糞尿を遮断して屋内への臭いの拡散を回避可能であるとともに、飼い主がより迅速且つ便利に排泄物を清掃できるペット用トイレ装置を提供する。【解決手段】トイレ本体１１、弾性閉止プレート１２及び引き出し式回収ボックス１３を含む。トイレ本体は、内部に経路及１１１び収容空間を備え、収容空間が経路の下方に位置して連通しており、表面に蓋１１２が設けられるとともに、蓋の中央に貫通孔１１３が設けられており、貫通孔が経路に連通しており、経路の底部に開口が備わっている。弾性閉止プレートは、経路の底部における開口を弾性的に閉止及び開放するよう経路の下方に設けられるとともに、蓋に接続される。引き出し式回収ボックスは、トイレ本体の収容空間内に設けられるとともに、経路の開口の下方に位置して、収容空間の内部から外部に引き出し可能である。【選択図】図１
2020018289.tif 000002
【特許請求の範囲】
【請求項１】
内部に経路及び収容空間を備え、当該収容空間が当該経路の下方に位置して連通しており、表面に蓋が設けられるとともに、当該蓋の中央に貫通孔が設けられており、当該貫通孔が当該経路に連通しており、当該経路の底部に開口が備わっているトイレ本体と、
当該経路の底部における開口を弾性的に閉止及び開放するよう当該経路の下方に設けられるとともに、当該蓋に接続される弾性閉止プレートと、及び
当該トイレ本体の収容空間内に設けられるとともに、当該経路の開口の下方に位置して、当該収容空間の内部から外部に引き出し可能である引き出し式回収ボックスと、を含むペット用トイレ装置。
【請求項２】
トイレ本体には、ペットがトイレ本体の蓋に登れるようステップが更に設けられている請求項１に記載のペット用トイレ装置。
【請求項３】
当該引き出し式回収ボックスの内部には、水又は水性溶液が充填される請求項１に記載のペット用トイレ装置。
【請求項４】
当該蓋と当該弾性閉止プレートは連接棒を介して接続されており、且つ、当該蓋の下方には当該連接棒を接続する弾性部材が設けられている請求項１に記載のペット用トイレ装置。
【発明の詳細な説明】
【技術分野】
【０００１】
本発明はペット用トイレ装置の技術に関し、特に、猫用のトイレ装置であって、飼い主が猫砂を使用することなく猫に用を足させることができ、且つ、臭いを遮断可能であるとともに、排泄物の清掃がより迅速且つ便利となるペット用トイレ装置に関する。
【背景技術】
【０００２】
現代社会は少子化や未婚者、ディンクスが増加傾向にある一方で、ペットを飼う風潮が高まりを見せている。単身者か既婚家庭かにかかわらず、ペットは生活の潤いのために飼育されており、ペットと暮らすことで心身の健康が増進するとの研究結果もある。数多くのペットの中で、猫と犬は好んで飼う人が最も多い動物である。猫の場合には自立性を有することから、飼い主が仕事や短期旅行などで家を空けたとしても、特別な付き添いや世話を要することなく、家内で自立して生活することが可能である。
【０００３】
猫の飼育にとって最も重要とされるのはエサの供給と排泄場所である。従来の猫用トイレの構造は四角形となっており、使用時には中に猫砂を投入してから、猫砂の入った猫用トイレを決まった位置に配置する。猫は用を足したくなると自身で猫用トイレまで行き、尿や便を排泄する。しかし、従来の猫砂は分解も溶解も不可能なため、環境に優しいとは言えない。また、猫砂は使用量が多く、通常は毎日のように新しいものに取り換えなければ臭いが発生するため、長期的な猫砂の使用は飼い主にとって経済的負担となっている。
【０００４】
このほか、従来の猫用トイレの構造ではトイレ内の猫砂が露出している。そのため、猫砂に尿や糞が含まれた状態で屋内に一定時間置いておくと、猫の尿や糞の臭いが屋内に充満し、空気質が低下するほか、生活の質にも支障をきたす。
【０００５】
そこで、本発明は、トレーニングによって猫が用を足せるようになるペット用トイレ装置であって、飼い主が猫砂を購入する必要がなく、毎年約３０００〜４０００台湾ドルの出費が節約されるとともに、糞尿の臭いを遮断でき、長時間にわたり屋内に配置したとしても臭いが発生せず、猫が用を足す際により清潔となり、飼い主にとっていっそう手軽で労力と費用が抑えられるため、全体としての実用性及び利便性が向上するペット用トイレ装置を如何に発明するかについて積極的に開示する。
【発明の概要】
【発明が解決しようとする課題】
【０００６】
本発明は、主に、猫が用を足せるよう飼い主によってトレーニング可能であり、猫砂の購入や清掃の必要がなく、且つ、糞尿を遮断して屋内への臭いの拡散を回避可能であるとともに、飼い主がより迅速且つ便利に排泄物を清掃でき、猫砂の購入費用を節約可能なためいっそう経済的であるだけでなく、環境にも優しいことから、全体としての実用性及び利便性が向上するペット用トイレ装置を提供することを目的とする。
【課題を解決するための手段】
【０００７】
上記の目的を達成するために、本発明は、トイレ本体、弾性閉止プレート及び引き出し式回収ボックスを含むペット用トイレ装置を提供する。トイレ本体は、内部に経路及び収容空間を備え、収容空間が経路の下方に位置して連通しており、表面に蓋が設けられるとともに、蓋の中央に貫通孔が設けられて、貫通孔が経路に連通しており、経路の底部に開口が備わっている。弾性閉止プレートは、経路の底部における開口を弾性的に閉止及び開放するよう経路の下方に設けられるとともに、蓋に接続される。引き出し式回収ボックスは、トイレ本体の収容空間内に設けられるとともに、経路の開口の下方に位置して、収容空間の内部から外部に引き出し可能である。
【０００８】
好ましい実施例において、トイレ本体には、ペットがトイレ本体の蓋に登れるようステップが更に設けられている。引き出し式回収ボックスの内部には、水又は水性溶液が充填される。蓋と弾性閉止プレートは連接棒を介して接続されており、且つ、蓋の下方には連接棒を接続する弾性部材が設けられている。
【図面の簡単な説明】
【０００９】
【図１】図１は、本発明におけるペット用トイレ装置の好ましい実施例の構造斜視図である。
【図２】図２は、本発明のペット用トイレ装置の好ましい実施例における引き出し式回収ボックスの引き出し時の構造斜視図である。
【図３】図３は、本発明のペット用トイレ装置の好ましい実施例における使用状態の参考図である。
【図４】図４は、本発明におけるペット用トイレ装置にトレーニングボックスを組み合わせて使用する際の使用状態の参考図である。
【発明を実施するための形態】
【００１０】
以下に、特定の具体的実施例を挙げて本発明の実施形態について説明する。なお、当業者であれば本明細書に開示の内容から本発明のその他の利点及び効果を容易に理解可能である。
【００１１】
以下では図面を参照して本発明の実施例につき説明するが、下記で挙げる図面は簡略化した図面であり、概略的に本発明の基本思想を示すものにすぎない。図面には本発明に関連する構造のみを示しており、実際に実施する際の部材数や形状及びサイズに基づき記載したものではない。そのため、実際に実施する際の各部材の形態、数量及び比率は図示したものに限らず、実際の設計に基づいて変更する必要がある。
【００１２】
まず、本発明におけるペット用トイレ装置の好ましい実施例の構造斜視図である図１と、引き出し式回収ボックスの引き出し時の構造斜視図である図２を参照する。図示するように、本発明のペット用トイレ装置１は猫への使用に特に適しており、トイレ本体１１、弾性閉止プレート１２及び引き出し式回収ボックス１３を含む。トイレ本体１１の内部には、経路１１１及び収容空間１１０が備わっている。収容空間１１０は経路１１１の下方に位置しており、これらが互いに連通している。トイレ本体１１の表面には蓋１１２が設けられており、蓋１１２の中央に貫通孔１１３が設けられている。貫通孔１１３は経路１１１に連通しており、経路１１１の底部には開口が備わっている。弾性閉止プレート１２は経路１１１の下方に設けられており、経路１１１の底部における開口を弾性的に閉止及び開放する。また、弾性閉止プレート１２は蓋１１２に接続されている。引き出し式回収ボックス１３はトイレ本体１１の収容空間１１０内に設けられており、且つ、経路１１１の開口の下方に位置して、収容空間１１０の内部から外部に引き出し可能である。
【００１３】
好ましい実施例において、トイレ本体１１には、ペットがトイレ本体１１の蓋１１２に登れるようステップ１１４が更に設けられている。引き出し式回収ボックス１３の内部には、水又は水性溶液が充填される。蓋１１２と弾性閉止プレート１２は連接棒１２１を介して接続されている。且つ、蓋１１２の下方には連接棒１２１を接続する弾性部材１２２が設けられている。
【００１４】
次に、本発明のペット用トイレ装置の好ましい実施例における使用状態の参考図である図３を参照する。図示するように、実際に使用する際には、予め引き出し式回収ボックス１３に水又は水性溶液を投入してから、引き出し式回収ボックス１３を収容空間１１０内に配置する。ペットである猫は、用を足したくなるとステップ１１４からトイレ本体１１の蓋１１２に登ることが可能である。すると、猫の体重によって蓋１１２が下方に押圧され、弾性部材１２２が下方への弾性力を生じて弾性閉止プレート１２を一方の側へと回動させる。連接棒１２１にはボール軌道１２１１が設けられており、且つ、経路１１１の一方の側における当該連接棒１２１のボール軌道１２１１に対応する位置にはボールトランスファ１１１１が設けられている。そのため、蓋１１２が下方に押圧されると、連接棒１２１が押下され、連接棒１２１のボール軌道１２１１が外側の固定端におけるボールトランスファ１１１１と連携して下方に向かいつつ、側辺へと摺動する結果、経路１１１下方の開口が開放される。ペットである猫が蓋１１２に立っている（しゃがんでいる）間、経路１１１下方の開口は開放されたままとなるため、排泄物は経路１１１からスムーズに引き出し式回収ボックス１３内に落下して水中に溶解する。ペットである猫が蓋１１２を離れると、弾性部材１２２が弾性復帰し、弾性閉止プレート１２を元の位置に回復させることで、経路１１１下方の開口が閉止される。これにより、排泄物の臭いが経路１１１から屋内に伝わる事態が回避され、確実に気密効果が奏されることから、異臭が拡散しにくい。また、引き出し式回収ボックス１３内の水又は水性溶液は排泄物を軟化させる。よって、引き出し式回収ボックス１３内の汚水を清掃する際に、家の便器にそのまま投入しても詰まることがない。
【００１５】
本発明におけるペット用トイレ装置にトレーニングボックスを組み合わせて使用する際の使用状態の参考図である図４を参照する。本発明は、臭いを隠そうとする猫の習性を利用して本発明の使用を促すものである。そこで、実際の使用に先立ち、次のようなトレーニングステップを実施してもよい。まず、ステップ１では、猫が使い慣れた猫砂２をトレーニングボックス３に投入する。トレーニングボックス３の底部には複数の微小孔３１が設けられている。この微小孔３１の大きさは猫砂よりも小さいことが必須であるが、尿については微小孔３１を通って引き出し式回収ボックス１３内に流入可能とする。次に、このトレーニングボックス３をトイレ本体１１の経路１１１に配置して、猫をトイレ環境に慣れさせる。このトレーニング期間中はトレーニングボックス内の猫砂２を清潔に保つとともに、猫が掻けるだけの十分な猫砂２を備えておく必要がある。ステップ２では、猫が順応又は適応し、粗相をしないかどうかを観察する。このとき、猫がスムーズに本発明を使用できるようになっていれば、トレーニングボックス３内の猫砂２を減量すべく検討を開始する。最後のステップとして、猫が本発明で用を足すことに順応すると、トレーニングボックス３を取り外し、本発明の通常使用を開始すればよい。
【００１６】
上記の構造によれば、飼い主は猫用トイレと猫砂をペットである猫の排泄装置として使用する必要がなくなる。よって、毎月の猫砂購入費用を節約することができ、且つ、毎日のように猫砂を交換する必要もない。更には、排泄物の臭いが屋内に漂うとの事態も回避されるほか、排泄物の清掃もより便利且つ迅速となる。
【００１７】
従来技術と比較して、本発明におけるペット用トイレ装置によれば、主に、ペットである猫が用を足せるよう飼い主によるトレーニングが可能である。また、猫用トイレ及び猫砂の使用が不要となる。更には、自動的に排泄物を遮断して、屋内への臭いの拡散を回避することができる。且つ、水又は水性溶液により排泄物を軟化することで、そのまま家の便器に投入して流すことが可能なため、清掃がより便利且つ迅速となる。また、費用をいっそう節約可能であるとともに、より環境に優しい。以上により、全体としての実用性及び利便性が向上する。
【００１８】
以上の記載及び図面によって本発明の好ましい実施例につき開示したが、理解すべき点として、添付の特許請求の範囲で規定する本発明の原理の主旨及び範囲を逸脱することなく、本発明の好ましい実施例には、様々な追加、多くの修正及び置き換えが適用可能である。当業者であれば理解可能なように、本発明は、様々な形式、構造、配置、比率、材料、部材及びユニットの変形が適用可能である。したがって、ここで開示した実施例は本発明を説明するためのものであり、本発明を制限するものではないとみなすべきである。本発明の範囲は添付の特許請求の範囲により規定されるとともに、その合法的な均等物を含む。且つ、上記の記載には限定されない。
【符号の説明】
【００１９】
１  ペット用トイレ装置
１１  トイレ本体
１１０  収容空間
１１１  経路
１１１１  ボールトランスファ
１１２  蓋
１１３  貫通孔
１１４  ステップ
１２  弾性閉止プレート
１２１  連接棒
１２１１  ボール軌道
１２２  弾性部材
１３  引き出し式回収ボックス
２  猫砂
３  トレーニングボックス
３１  微小孔
【図１】
2020018289.tif 000003
【図２】
2020018289.tif 000004
【図３】
2020018289.tif 000005
【図４】
2020018289.tif 000006